(57)【要約】【課題】費用をかけずに写真等の画像を所望形状の支持部材によって支持し飾ることが可能となる、プリント用プログラムおよび記録媒体を提供する。【解決手段】プリント用プログラムは、所定の立体形状に対応する展開図の画像データを含み、指定された立体形状に対応する展開図を当該展開図の画像データに基づいて表示部２８に表示するための処理、展開図において画像を形成すべき箇所を特定するための処理、特定された箇所に形成すべき画像を加工するための処理、加工された画像を特定された箇所に形成するための処理、および画像が形成された展開図を印刷するための処理を、コンピュータ１０に実行させるためのプログラムである。【選択図】        図２
2004178356.tif 000002
【特許請求の範囲】
【請求項１】
表示部に表示された画像を印刷するためのデジタルプリント用プログラムであって、
所定の立体形状に対応する展開図の画像データを含み、
指定された立体形状に対応する展開図を当該展開図の画像データに基づいて前記表示部に表示するための処理、
前記展開図において画像を形成すべき箇所を特定するための処理、
前記特定された箇所に形成すべき画像を加工するための処理、
前記加工された画像を前記特定された箇所に形成するための処理、および前記画像が形成された前記展開図を印刷するための処理を、コンピュータに実行させるためのプリント用プログラム。
【請求項２】
請求項１に記載のプログラムを記録した記録媒体。
【発明の詳細な説明】
【０００１】
【発明の属する技術分野】
この発明はプリント用プログラムおよび記録媒体に関し、より特定的には、写真を印刷するためのデジタルプリント用プログラムおよび記録媒体に関する。
【０００２】
【従来の技術】
近年、写真等の画像を自由に加工して印刷できるデジタルプリントが普及してきている。このようなデジタルプリントによって印刷された写真等の画像を所望の場所に立てて飾る場合には、写真立てに入れるのが一般的である。また、印刷された画像を切り取って立体形状を有する支持部材に貼り付けることも考えられる。
【０００３】
【発明が解決しようとする課題】
しかし、飾る場所に応じて様々な写真立てや支持部材を準備するには費用がかかり、頻繁に写真立てや支持部材を取り替えることは容易ではなかった。
それゆえに、この発明の主たる目的は、費用をかけずに写真等の画像を所望形状の支持部材によって支持し飾ることが可能となる、プリント用プログラムおよび記録媒体を提供することである。
【０００４】
【課題を解決するための手段】
上述の目的を達成するために、請求項１に記載のプログラムは、表示部に表示された画像を印刷するためのデジタルプリント用プログラムであって、所定の立体形状に対応する展開図の画像データを含み、指定された立体形状に対応する展開図を当該展開図の画像データに基づいて表示部に表示するための処理、展開図において画像を形成すべき箇所を特定するための処理、特定された箇所に形成すべき画像を加工するための処理、加工された画像を特定された箇所に形成するための処理、および画像が形成された展開図を印刷するための処理を、コンピュータに実行させるためのプリント用プログラムである。
請求項２に記載の記録媒体は、請求項１に記載のプログラムを記録したことを特徴とする。
【０００５】
請求項１に記載のプリント用プログラムをコンピュータに実行させるとき、まず、指定された立体形状に対応する展開図が表示部に表示される。次いで、表示された展開図において写真等の画像を形成すべき箇所が特定される。そして、特定された箇所に形成すべき画像が加工される。加工された画像が展開図において特定された箇所に形成される。このようにして得られた画像付き展開図が印刷される。そして、展開図に沿って切り取り組み立てることによって、写真等の画像が一体的に形成された支持部材（写真立て）が得られる。請求項２に記載の記録媒体に記録されたプログラムを用いた場合についても同様である。
【０００６】
【発明の実施の形態】
以下、図面を参照して、この発明の実施の形態について説明する。この実施形態において、デジタルプリントは図１に示す装置によって実行される。
図１に示す装置は、パーソナルコンピュータ等のコンピュータ１０を含む。
【０００７】
コンピュータ１０は、バス１２で相互に接続されたＣＰＵ１４、ＲＯＭ１６、ＲＡＭ１８、ハードディスクドライブ（ＨＤＤ：ハードディスク含む）２０、フレキシブルディスクドライブ（ＦＤＤ）２２、ＣＤ−ＲＯＭドライブ２４、入力部２６、表示部２８および通信制御部３０を備えている。
また、コンピュータ１０には、デジタルプリントを行うためのプリンタ３２が接続されている。
【０００８】
ＲＯＭ１６は、起動用プログラム等を記憶している。起動用プログラムは、コンピュータ１０の電源投入時にＣＰＵ１４によって実行される。これによって、ＨＤＤ２０に記憶されているオペレーティングシステム（ＯＳ）等がＲＡＭ１８にロードされ、各種の処理や制御が実行可能となる。
【０００９】
ＲＡＭ１８には、コンピュータ１０を制御するプログラムが展開され、このプログラムによる処理結果、処理のための一時データ、表示部２８の画面上に処理結果等を表示するための表示用データ（テキストデータ、画像データ等）等を保持し、ＣＰＵ１４の作業領域として使用される。
【００１０】
ＲＡＭ１８上に展開された表示用データは、表示部２８に伝達され、表示部２８は、その画面上に表示用データに対応する表示内容（テキスト、画像等）を表示する。表示部２８は、陰極線管（ＣＲＴ）や液晶ディスプレイ（ＬＣＤ）等からなる。
【００１１】
ＨＤＤ２０は、ＣＰＵ１４の指示に従って、プログラム、制御用データ、テキストデータ、画像データ等を、ハードディスクに対して記録し、または読み出すためのデバイスである。
【００１２】
ＦＤＤ２２は、ＣＰＵ１４の指示に従って、プログラム、制御用データ、テキストデータ、画像データ等の読み出しまたは書き込みを、フレキシブルディスク（ＦＤ）３４に対して実行する。
【００１３】
ＣＤ−ＲＯＭドライブ２４は、ＣＰＵ１４の指示に従って、ＣＤ−ＲＯＭ３６に記録されているプログラムやデータを読み取る。
【００１４】
通信制御部３０は、ＣＰＵ１４の指示に従って、コンピュータ１０に接続された通信線を用い、他の装置とのデータの送受信、あるいはプログラムやデータのアップロードまたはダウンロードを実行する。
【００１５】
入力部２６は、キーボードやマウス等を含み、オペレータがコンピュータ１０に指示やデータを入力したり、表示部２８に表示されたカーソルを用いた指示を入力するために使用される。
【００１６】
ＣＰＵ１４は、この発明の記録媒体に相当するＲＯＭ１６、ＲＡＭ１８、ＨＤＤ２０、ＦＤ３４およびＣＤ−ＲＯＭ３６に記憶された各種のプログラムを実行し、コンピュータ１０内の各構成要素やプリンタ３２に指示を与え、コンピュータ１０やプリンタ３２の動作を制御する。
【００１７】
この実施形態では、ＨＤＤ２０内のハードディスクに、図２に示すようなデジタルプリントを行うためのプログラムを格納しておき、このプログラムをＣＰＵ１４が読み出して実行することにより、デジタルプリントの処理を実行する。ハードディスクには、様々な立体形状に対応する展開図の画像データや、写真等の画像に対応する画像データ、さらには図３に示すような選択欄３８ｂ〜３８ｄ（後述）を表示するためのデータ等が格納される。
【００１８】
ついで、このような装置の動作を図２を参照して説明する。
まず、オペレータが入力部２６を用いて所望の立体形状を指定すると、指定された立体形状に対応する展開図が当該展開図の画像データに基づいて表示部２８に表示される（ステップＳ１）。次いで、表示部２８に表示された展開図において写真等の画像を形成すべき箇所が、入力部２６からの指示に基づいて特定される（ステップＳ３）。そして、展開図において特定された箇所に形成すべき画像を入力部２６を用いて選択すると、当該画像が表示部２８に表示され、入力部２６からの指示に基づいて、当該画像に所望の加工が施され（ステップＳ５）、加工された画像が展開図において特定された箇所に形成される（ステップＳ７）。このようにして得られた画像付き展開図が、入力部２６からの指示に基づきプリンタ３２によって紙等のプリント媒体に印刷される（ステップＳ９）。
【００１９】
その後、プリント媒体を展開図に沿って切り取り組み立てることによって、写真等の画像が一体的に形成された支持部材（写真立て）が得られる。
【００２０】
図３〜図５を参照してより具体的に説明する。
図３に示すように、表示部２８の画面３８の中央部３８ａには展開図および画像が表示可能とされ、画面左側には立体形状の選択欄３８ｂが設けられ、画面右側には画像の選択欄３８ｃが設けられ、画面上側には画像加工の選択欄３８ｄが設けられている。
【００２１】
選択欄３８ｂには、たとえば、三角柱、立方体、円柱、三角錐、四角錐、円錐、・・・等の立体形状を選択するためのアイコンが含まれ、所望のアイコンを選択すると対応する展開図が画面３８の中央部３８ａに表示される。図３の画面３８の中央部３８ａには一例として三角柱の展開図が示されている。因みに、立方体、円柱、三角錐、四角錐、円錐に対応する展開図は、それぞれ、たとえば図５（ａ）〜（ｅ）に示すようになる。
【００２２】
選択欄３８ｃには、たとえば入力された写真等の画像１、画像２、画像３、画像４、画像５、・・・の縮小画像が表示され、所望の縮小画像を選択できる。
選択欄３８ｄには、たとえば拡大、縮小、回転、補正等の加工の種類を選択するためのアイコンが含まれる。
【００２３】
処理動作において、最初は画面３８の中央部３８ａには何も表示されていない。まず、入力部２６を用いて選択欄３８ｂから所望の立体形状を選択すると、その立体形状に対応する展開図が画面３８の中央部３８ａに表示される。図３に示す例では、三角柱のアイコンを選択することによって展開図４０が表示される。次いで、展開図４０において画像を形成すべき箇所を入力部２６を用いて特定する。この例では、斜線部分４２および４４が選択され、画像を形成すべき箇所が特定される。
【００２４】
そして、斜線部分４２および４４にそれぞれ形成される画像を選択する。この画像選択は、選択欄３８ｃに表示された縮小画像の中から所望の画像を入力部２６を用いて選択することによって行われる。この例では、斜線部分４２用として画像１が、斜線部分４４用として画像２が、それぞれ選択され画面３８の中央部３８ａに表示される。
【００２５】
その後、画像１および２について、それぞれ、拡大、縮小、回転、補正等の任意の加工処理が施される。加工処理は、画像１および２が表示部３８の中央部３８ａに表示された状態で、選択欄３８ｄに表示されたアイコンの中から所望の加工用アイコンを入力部２６を用いて選択して行われる。加工処理が終了した画像１および２は、入力部２６によってそれぞれ斜線部分４２および４４に貼り付けられる。なお、画像１および２の加工処理は斜線部分４２および４４に貼り付けた後に行われてもよい。画像１および２はそれぞれ個別に貼り付けることができる。このように画像を容易に加工、編集できる。
【００２６】
そして、入力部２６からの指示に基づきプリンタ３２によって、画像１および２が展開図４０とともにプリント媒体に印刷される。
【００２７】
画像１，２および展開図４０が印刷されプリンタ３２から出力されたプリント媒体において、展開図４０に沿って不要部分を切り取って、折線に従って折り曲げ、のり代４６ａ〜４６ｅにのり付けして接着することによって、図４に示すような画像１および２が形成された支持部材（写真立て）４８が得られる。
【００２８】
このように画像を自由に編集、加工し印刷できるデジタルプリントの特性を生かすことによって、所望の画像付き支持部材（写真立て）が得られる。
【００２９】
上述のように処理することによってプリント媒体自体が支持部材（写真立て）になるので非常に安価となり、写真等の画像を飾る場合にも別途支持部材（写真立て）を必要としない。また、立体形状に対応する展開図の種類を多くするだけで、支持部材（写真立て）の種類を多様化できる。
このようにして新商品、新サービスを提供できる。
【００３０】
なお、ＨＤＤ２０のハードディスクに、次のようにしてプログラムを格納し、このプログラムをＣＰＵ１４が実行することによってデジタルプリントを行うようにしてもよい。
【００３１】
たとえば、ＦＤ３４やＣＤ−ＲＯＭ３６に格納されているプログラムを、ＦＤＤ２２やＣＤ−ＲＯＭドライブ２４により読み取り、ＨＤＤ２０のハードディスクに格納する。あるいは、ネットワーク（インターネット、ＬＡＮ等）を介して他の装置から伝送されたプログラム等のデータを、通信制御部３０を介して受信し、そのデータをＨＤＤ２０のハードディスクに格納する。
【００３２】
また、ＦＤ３４やＣＤ−ＲＯＭ３６に格納されているプログラムを、ハードディスクに格納することなくＣＰＵ１４が実行することでデジタルプリントの処理を行うことも可能である。
【００３３】
デジタルプリントを行うためのプログラム等を格納する記録媒体としては、たとえば、ＣＤ−Ｒ／ＲＷ、ＭＯ（光磁気ディスク）など任意のリムーバブルディスクを用いることができる。
【００３４】
この発明に用いられる展開図としては、組み立てることによって所望の物品やキャラクタ等になるペーパークラフトの展開図であってもよい。
また、この発明を写真処理装置に適用すれば、印画紙に写真と展開図とを露光することができる。
【００３５】
【発明の効果】
この発明によれば、写真等の画像が一体的に形成された支持部材が得られ、費用をかけずに写真等の画像を所望形状の支持部材によって支持し飾ることができる。
【図面の簡単な説明】
【図１】この発明が適用される装置の一例を示すブロック図である。
【図２】この発明の実施形態の動作の一例を示すフロー図である。
【図３】表示部の画面の一例を示す図解図である。
【図４】組み立てられた支持部材（写真立て）の一例を示す図解図である。
【図５】立体形状に対応する展開図の例を示す。
【符号の説明】
１０      コンピュータ
１４      ＣＰＵ
１６      ＲＯＭ
１８      ＲＡＭ
２０      ＨＤＤ
２２      ＦＤＤ
２４      ＣＤ−ＲＯＭドライブ
２６      入力部
２８      表示部
３０      通信制御部
３２      プリンタ
３４      ＦＤ
３６      ＣＤ−ＲＯＭ
３８      画面
４０      展開図
４２，４４      斜線部分（画像形成箇所）
４８      支持部材（写真立て）
【図１】
2004178356.tif 000003
【図２】
2004178356.tif 000004
【図３】
2004178356.tif 000005
【図４】
2004178356.tif 000006
【図５】
2004178356.tif 000007